(57)【要約】【課題】  本発明は、簡易な構成で送信側の設定内容を受信側においてリアルタイムで反映させることができるディジタル音声伝送システム並びにディジタル音声伝送装置及びその方法を実現するものである。【解決手段】  ディジタル音声伝送システム並びにディジタル音声伝送装置及びその方法において、音声データに基づく音声に対する所定の設定内容を設定する設定手段と、設定内容に基づく設定データをディジタル伝送フォーマットで音声データに組み込むようにして伝送データを生成するデータ生成手段と、データ生成手段において生成された伝送データを送信する送信手段とを設けるようにしたことにより、音声出力装置における設定内容を再生装置でユーザの設定した設定内容にリアルタイムに同期させて合わせることができる。【選択図】          図２
2005151473.tif 000002
【特許請求の範囲】
【請求項１】
記録媒体から再生した音声データを所定のディジタル伝送フォーマットで出力する再生装置と、当該再生装置から受信した上記音声データに基づく音声を出力する音声出力装置とからなるディジタル音声伝送システムにおいて、
上記再生装置では、
上記音声データに基づく音声に対する所定の設定内容を設定する設定手段と、
上記設定内容に基づく設定データを上記ディジタル伝送フォーマットで上記音声データに組み込むようにして伝送データを生成するデータ生成手段と、
上記データ生成手段において生成された上記伝送データを送信する送信手段と
を具え、
上記音声出力装置では、
上記送信手段から送信される上記伝送データを受信する受信手段と、
上記受信手段で受信した上記伝送データから上記音声データ及び上記設定データを分離する分離手段と、
上記分離手段において分離した上記設定データに基づく設定内容を上記音声データに基づく音声に反映させる内容反映手段と
を具えることを特徴とするディジタル音声伝送システム。
【請求項２】
上記再生装置では、
上記データ生成手段は、上記音声データの信号レベルの大きい順に上記ディジタル伝送フォーマットに基づくビット列を配列した後、当該ビット列の最後に位置する上記音声データの信号レベルが最小のビットに続いて上記設定データのビット列を付加する
ことを特徴とする請求項１に記載のディジタル音声伝送システム。
【請求項３】
上記設定データの一部は、誤り訂正用のビット又はビット群でなる
ことを特徴とする請求項１に記載のディジタル音声伝送システム。
【請求項４】
記録媒体から再生した音声データを所定のディジタル伝送フォーマットで出力するディジタル音声伝送装置において、
上記音声データに基づく音声に対する所定の設定内容を設定する設定手段と、
上記設定内容に基づく設定データを上記ディジタル伝送フォーマットで上記音声データに組み込むようにして伝送データを生成するデータ生成手段と、
上記データ生成手段において生成された上記伝送データを送信する送信手段と
を具えることを特徴とするディジタル音声伝送装置。
【請求項５】
上記データ生成手段は、
上記音声データの信号レベルの大きい順に上記ディジタル伝送フォーマットに基づくビット列を配列した後、当該ビット列の最後に位置する上記音声データの信号レベルが最小のビットに続いて上記設定データのビット列を付加する
ことを特徴とする請求項４に記載のディジタル音声伝送装置。
【請求項６】
上記設定データの一部は、誤り訂正用のビット又はビット群でなる
ことを特徴とする請求項４に記載のディジタル音声伝送装置。
【請求項７】
記録媒体から再生した音声データを所定のディジタル伝送フォーマットで出力するディジタル音声伝送方法において、
上記音声データに基づく音声に対する所定の設定内容を設定する第１のステップと、
上記設定内容に基づく設定データを上記ディジタル伝送フォーマットで上記音声データに組み込むようにして伝送データを生成する第２のステップと、
生成された上記伝送データを送信する第３のステップと
を具えることを特徴とするディジタル音声伝送方法。
【請求項８】
上記第２のステップでは、
上記音声データの信号レベルの大きい順に上記ディジタル伝送フォーマットに基づくビット列を配列した後、当該ビット列の最後に位置する上記音声データの信号レベルが最小のビットに続いて上記設定データのビット列を付加する
ことを特徴とする請求項７に記載のディジタル音声伝送方法。
【請求項９】
上記設定データの一部は、誤り訂正用のビット又はビット群でなる
ことを特徴とする請求項７に記載のディジタル音声伝送方法。
【発明の詳細な説明】
【技術分野】
【０００１】
本発明はディジタル音声伝送システム並びにディジタル音声伝送装置及びその方法に関し、例えば種々のオーディオ機器間でディジタル音声データの送受信を行うオーディオシステムに適用して好適なものである。
【背景技術】
【０００２】
近年、各種のディジタルオーディオ機器を相互接続するためのインターフェース仕様として、例えば国際電気標準規格ＩＥＣ（International Electrotechnical Commission）６０９５８（旧ＩＥＣ９５８）に基づくＳＰＤＩＦ（Sony/Philips Digital Interface Format）（商標名）等のディジタルオーディオインターフェースが提案され、当該ディジタルオーディオインターフェースを介して相互にデータを対応するディジタル伝送フォーマットで伝送し得る種々のオーディオ機器が開発されている。
【０００３】
かかるディジタルオーディオインターフェースを搭載したオーディオ機器では、ディジタル音声入出力端子を介してＣＤ（Compact Disc）ドライブ、ＤＡＴ（Digital Audio Taperecorder）プレーヤ及びＭＤ（Mini Disc）プレーヤ等の外部のディジタル音声機器から供給されるディジタル音声信号をアナログ変換処理を施すことなく直接そのまま取り込むことにより、理論上は音質を劣化させずにディジタルオーディオソースをファイル化したり、逆にパーソナルコンピュータ上のサウンドをＭＤレコーダ等のディジタル録音機器に録音し得るようになされている（例えば、特許文献１参照）。
【特許文献１】特開２００３−１６２８８３公報
【発明の開示】
【発明が解決しようとする課題】
【０００４】
ところで、このようなディジタルオーディオインターフェースを搭載したディジタルオーディオ機器では、伝送対象は基本的に音声信号のみであり、例えば５．１ｃｈサラウンドシステムにおける各チャンネルの音声信号を当該ディジタルオーディオ機器からアクティブリアスピーカにアナログ信号よりも高品位なディジタル音声信号として伝送する場合、当該ディジタルオーディオ機器のマスタボリュームによって再生音量を制御するためには、別途音量制御信号を伝送する必要がある。
【０００５】
この問題を解決すべく上述の引用文献１では、指定された曲の音楽データに当該曲の音量レベル情報を付加して伝送する手法が提案されている。しかし、かかる手法では、それぞれ異なる音量レベルで記録された複数の曲を、当該曲ごとに音量レベルが異なるのを防止して、常に一定の音量レベルで再生することができるに過ぎず、送信側で設定された音量レベルを受信側でリアルタイムに同期させるのは困難である。
【０００６】
このため受信側のディジタルヘッドホンやアクティブスピーカにおいて、送信側のディジタルオーディオ機器において設定された再生音量を当該ディジタルオーディオ機器から送信されるディジタル音声信号に基づいて連動させるのは非常に困難であり、受信側においてユーザが自分の好みで再生音量を調整しなければならない煩雑さがあった。
【０００７】
特に上述のような光ファイバや同軸ケーブルによる有線通信でディジタル音声信号を伝送する場合ではなく、ディジタルオーディオインターフェースを搭載したディジタルオーディオ機器において、ディジタル音声信号をワイヤレス（無線通信）で伝送する場合には、対応するディジタル伝送フォーマットでワイヤレス伝送することができるのはディジタル音声信号のみであり、当該ディジタル音声信号に音量レベルを表すデータを付加することは非常に困難であった。
【０００８】
本発明は以上の点を考慮してなされたもので、簡易な構成で送信側の設定内容を受信側においてリアルタイムで反映させることができるディジタル音声伝送システム並びにディジタル音声伝送装置及びその方法を提案しようとするものである。
【課題を解決するための手段】
【０００９】
かかる課題を解決するため本発明においては、記録媒体から再生した音声データを所定のディジタル伝送フォーマットで出力する再生装置と、当該再生装置から受信した音声データに基づく音声を出力する音声出力装置とからなるディジタル音声伝送システムにおいて、再生装置では、音声データに基づく音声に対する所定の設定内容を設定する設定手段と、設定内容に基づく設定データをディジタル伝送フォーマットで音声データに組み込むようにして伝送データを生成するデータ生成手段と、データ生成手段において生成された伝送データを送信する送信手段とを設け、音声出力装置では、送信手段から送信される伝送データを受信する受信手段と、受信手段で受信した伝送データから音声データ及び設定データを分離する分離手段と、分離手段において分離した設定データに基づく設定内容を音声データに基づく音声に反映させる内容反映手段とを設けるようにした。この結果このディジタル音声伝送システムでは、音声出力装置における設定内容を再生装置でユーザの設定した設定内容にリアルタイムに同期させて合わせることができる。
【００１０】
また本発明においては、記録媒体から再生した音声データを所定のディジタル伝送フォーマットで出力するディジタル音声伝送装置において、音声データに基づく音声に対する所定の設定内容を設定する設定手段と、設定内容に基づく設定データをディジタル伝送フォーマットで音声データに組み込むようにして伝送データを生成するデータ生成手段と、データ生成手段において生成された伝送データを送信する送信手段とを設けるようにした。この結果このディジタル音声伝送装置では、受信側における設定内容を送信側でユーザの設定した設定内容にリアルタイムに同期させて合わせることができる。
【００１１】
さらに本発明においては、記録媒体から再生した音声データを所定のディジタル伝送フォーマットで出力するディジタル音声伝送方法において、音声データに基づく音声に対する所定の設定内容を設定した後、当該設定内容に基づく設定データをディジタル伝送フォーマットで音声データに組み込むようにして伝送データを生成し、当該生成された伝送データを送信するようにした。この結果このディジタル音声伝送方法では、受信側における設定内容を送信側でユーザの設定した設定内容にリアルタイムに同期させて合わせることができる。
【発明の効果】
【００１２】
上述のように本発明によれば、記録媒体から再生した音声データを所定のディジタル伝送フォーマットで出力する再生装置と、当該再生装置から受信した音声データに基づく音声を出力する音声出力装置とからなるディジタル音声伝送システムにおいて、再生装置では、音声データに基づく音声に対する所定の設定内容を設定する設定手段と、設定内容に基づく設定データをディジタル伝送フォーマットで音声データに組み込むようにして伝送データを生成するデータ生成手段と、データ生成手段において生成された伝送データを送信する送信手段とを設け、音声出力装置では、送信手段から送信される伝送データを受信する受信手段と、受信手段で受信した伝送データから音声データ及び設定データを分離する分離手段と、分離手段において分離した設定データに基づく設定内容を音声データに基づく音声に反映させる内容反映手段とを設けるようにした。この結果このディジタル音声伝送システムでは、音声出力装置における設定内容を再生装置でユーザの設定した設定内容にリアルタイムに同期させて合わせることができる。
【００１３】
また本発明によれば、記録媒体から再生した音声データを所定のディジタル伝送フォーマットで出力するディジタル音声伝送装置において、音声データに基づく音声に対する所定の設定内容を設定する設定手段と、設定内容に基づく設定データをディジタル伝送フォーマットで音声データに組み込むようにして伝送データを生成するデータ生成手段と、データ生成手段において生成された伝送データを送信する送信手段とを設けるようにした。この結果このディジタル音声伝送装置では、受信側が同一のディジタル伝送フォーマットに対応できれば、当該受信側における設定内容を送信側でユーザの設定した設定内容にリアルタイムに同期させて合わせることができる。
【００１４】
さらに本発明によれば、記録媒体から再生した音声データを所定のディジタル伝送フォーマットで出力するディジタル音声伝送方法において、音声データに基づく音声に対する所定の設定内容を設定した後、当該設定内容に基づく設定データをディジタル伝送フォーマットで音声データに組み込むようにして伝送データを生成し、当該生成された伝送データを送信するようにした。この結果このディジタル音声伝送方法では、受信側が同一のディジタル伝送フォーマットに対応できれば、当該受信側における設定内容を送信側でユーザの設定した設定内容にリアルタイムに同期させて合わせることができる。
【発明を実施するための最良の形態】
【００１５】
以下図面について、本発明の一実施の形態を詳述する。
【００１６】
（１）本実施の形態によるディジタルオーディオシステムの構成
図１において、１は全体として本実施の形態によるディジタルオーディオシステムを示し、光ディスク再生装置２及びアンプ内蔵型スピーカ３が光ファイバを介して相互に接続されて構成されている。これら光ディスク再生装置２及びアンプ内蔵型スピーカ３の双方には、上述したようなＳＰＤＩＦ等のディジタルオーディオインターフェース４、５がそれぞれ搭載されている。
【００１７】
このディジタルオーディオシステム１では、光ディスク再生装置２がＣＤ（Compact Disc）等の光ディスク６から再生したディジタル音声データＤ１を例えばＳＰＤＩＦに準拠したディジタル伝送フォーマットでディジタルオーディオインターフェース４から光ファイバ７を介して出力すると、アンプ内蔵型スピーカ３が光ファイバ７及び続くディジタルオーディオインターフェース５を介してディジタル音声データＤ１を受信することにより、当該ディジタル音声データＤ１に基づく音声を放音するようになされている。
【００１８】
まずこの光ディスク再生装置２においては、再生時、システム全体の制御を司るシステムコントローラ８は、光ディスク６を所定速度で回転駆動させると共に、光学ピックアップ９から照射させた光ビームＬ１のビームスポット（以下、これを単にビームスポットと呼ぶ）を光ディスク６のデータトラックに沿って径方向へ移動させ、かつトラッキング制御及びフォーカス制御を行わせる。
【００１９】
システムコントローラ８は、バス１０を介してサーボプロセッサ１１、復調回路１２、信号処理回路１３、操作部１４に接続されており、これら各回路１１〜１４を必要に応じて制御して各種動作を実行させ得ると共に、操作部１４から操作内容を受けるようになされている。
【００２０】
光学ピックアップ９は、レーザダイオード、コリメータレンズ、対物レンズ及び受光素子等の光学系デバイス（図示せず）と、レーザダイオードドライバ等の電気系デバイス（図示せず）とを有し、システムコントローラ８がサーボプロセッサ１１を介してレーザダイオードを駆動することにより光ビームＬ１を光ディスク６に向けて発射させる。
【００２１】
この結果この光ビームＬ１が光ディスク６の記録面において反射し、その反射光Ｌ２に基づき得られるＲＦ信号Ｓ１が光学ピックアップ９からサーボアンプ１５に与えられる。サーボアンプ１５は、入力されたＲＦ信号Ｓ１に基づいて、当該ＲＦ信号Ｓ１を２値化した２値化信号Ｓ２を復調回路１２に送出すると共に、トラッキングエラー信号Ｓ３及びフォーカスエラー信号Ｓ４を生成してサーボプロセッサ１１に送出する。
【００２２】
サーボプロセッサ１１は、トラッキングエラー信号Ｓ３に基づいてトラッキングドライブ信号Ｓ５を生成して増幅器１６を介して光学ピックアップ９内のトラッキングアクチュエータ（図示せず）を駆動することによりトラッキング制御を行う。またサーボプロセッサ１１は、フォーカスエラー信号Ｓ４に基づいてフォーカスドライブ信号Ｓ６を生成して増幅器１７を介して光学ピックアップ９内のフォーカスアクチュエータ（図示せず）を駆動することによりフォーカス制御を行う。
【００２３】
さらにサーボプロセッサ１１は、トラッキングエラー信号Ｓ３の低域周波数成分を抽出することによりスレッドドライブ信号Ｓ７を生成して増幅器１８を介してステッピングモータ１９を駆動することにより、リードスクリュー２０を回転させながら、光ディスク６上のビームスポットを光ディスク６の記録面に形成されたデータトラック（プリグルーブ又はランド）に沿って当該光ディスク６の径方向に移動させる。
【００２４】
一方、復調回路１２は、供給される２値化信号Ｓ２に基づいてスピンドルエラー信号Ｓ８を生成して増幅器２１を介してスピンドルモータ２２を制御することにより、光ディスク６を所定速度で回転駆動する。
【００２５】
また復調回路１２は、供給される２値化信号Ｓ２をデコード処理することにより、光ディスク６におけるそのときのビームスポットの絶対番地を検出し、これをシステムコントローラ８に送出する。すなわち復調回路１２は、２値化信号Ｓ２をその内部に設けられた所定の帯域周波数成分を通過範囲とするバンドパスフィルタ回路（図示せず）を通すことにより当該２値化信号Ｓ２に含まれるウォブル成分を抽出すると共に、当該ウォブル成分にＦＭ復調処理を施すことによりそのときビームスポットが位置している光ディスク６上の絶対番地を検出し、これをセクタアドレス情報Ｓ９としてシステムコントローラ８に送出する。
【００２６】
また復調回路１２は、上述のようなデコード処理により得られる光ディスク６上での絶対番地が変化するごとに（すなわち光ディスク６におけるビームスポットが走査するセクタが変わるごとに）、これを知らせるシンク割込信号Ｓ１０をシステムコントローラ８に送出する。
【００２７】
かくしてシステムコントローラ８は、復調回路１２から与えられるこれらアドレス情報信号Ｓ９及びシンク割込信号Ｓ１０に基づいて、光ディスク６におけるそのときの再生位置を順次認識し、当該認識結果に基づいて光ディスク６から正しく再生し得るように、必要な制御処理を実行する。
【００２８】
さらに復調回路１２は、供給される２値化信号Ｓ２をデコード処理することにより、光ディスク６に記録されている映像及び音声等のコンテンツを表す復調データＳ１１を得て、信号処理回路１３に送出する。
【００２９】
信号処理回路１３は、復調データＳ１１に基づいて、記録前の元のフォーマットでなるディジタル音声データＤ１を生成した後、当該ディジタル音声データＤ１をアナログ変換して得られるアナログ音声信号Ｓ１２をアンプ２３を介してスピーカ２４に送出する一方、当該ディジタル音声データＤ１をディジタル信号のままディジタルオーディオインターフェース４及び続く光ファイバ７を介して外部のアンプ内蔵型スピーカ３に送信する。
【００３０】
このアンプ内蔵型スピーカ３は、光ディスク再生装置２から光ファイバ７を介して送信されるディジタル音声データＤ１を、ディジタルオーディオインターフェース５を経て信号処理回路３０に受ける。この信号処理回路３０は、ＣＰＵ３１の制御の下で、ディジタル音声データＤ１をアナログ変換した後、得られたアナログ音声信号Ｓ１３に基づく再生音をアンプ３２を介してスピーカ３３から放音させる。
【００３１】
ＣＰＵ３１は、バス３４を介して信号処理回路３０、アンプ３２及び操作部３５に接続されており、これら各回路３０、３２、３５を必要に応じて制御して各種動作を実行させ得ると共に、操作部３５から操作内容を受けるようになされている。
【００３２】
かかる構成に加えて、本実施の形態によるディジタルオーディオシステム１では、光ディスク再生装置２において、光ディスク６から再生したディジタル音声データＤ１を例えばＳＰＤＩＦに準拠したディジタル伝送フォーマットで光ファイバ７を介してアンプ内蔵型スピーカ３に送信する際に、ユーザが操作部１４を用いて再生音量を調整したときの当該再生音量の調整状態を、リアルタイムでアンプ内蔵型スピーカ３の再生音量に反映させ得るようになされている。
【００３３】
まず光ディスク再生装置２において、ユーザが操作部１４を用いて再生音量を調整したとき、システムコントローラ８は、操作部１４から得られた再生音量レベルを表す音量レベル信号Ｓ２０をバス１０を介して信号処理回路１３に送出する。
【００３４】
信号処理回路１３は、受け取った音量レベル信号Ｓ２０に基づいて、ディジタル音声データＤ１をアナログ変換してなるアナログ音声信号Ｓ１２の信号レベルをユーザの調整内容に合わせるように、アンプ２３の増幅率を制御する。この結果、光ディスク再生装置２では、ディジタル音声データＤ１に基づく音声をユーザの調整した再生音量でスピーカ２４から放音させることができる。
【００３５】
また信号処理回路１３は、生成したディジタル音声データＤ１に、上述の音量レベル信号Ｓ２０に基づく再生音量レベルを表すデータ（以下、これを再生音量データと呼ぶ）Ｄ２をシリアルにつなげたデータ（以下、これをディジタル伝送データと呼ぶ）Ｄ３を生成するようになされている。
【００３６】
ここでディジタル伝送データＤ３を生成する前提として、一般的に光ディスク再生装置２では、コンテンツを表すアナログ信号でなる音声信号を、左右（Ｌ／Ｒ）同時にサンプリングし、得られたサンプリング値を所定ビット単位（例えば16ビット）でリニア量子化した後に２進数に符号化することにより、ディジタル信号であるＰＣＭ（Pulse Code Modulation：パルス符号変調）信号として光ディスク６の記録面に記録する方式が採用されている。
【００３７】
そこでまず信号処理回路１３は、復調回路１２から得られるＰＣＭ信号でなる復調データＳ１１から、基準となるビットクロックＢＣＫ（図２（Ａ））を抽出した後、ＰＬＬ（Phase Locked Loop）回路（図示せず）を用いて当該ビットクロックＢＣＫを基準として、左右（Ｌ／Ｒ）２チャネルを交互に切り替えるためのクロック（以下、これをチャネルクロックと呼ぶ）ＬＲＣＫ（図２（Ｂ））と、設定された量子化ビット数（16ビット又は24ビット）分のデータをレジスタ（図示せず）を用いてラッチするためのクロック（以下、これをワードクロックと呼ぶ）ＷＤＣＫ１（図２（Ｃ））又はＷＤＣＫ２（図２（Ｅ））とを生成する。
【００３８】
このチャネルクロックＬＲＣＫ（図２（Ｂ））は、１サンプリング周波数をクロック周期とし、左チャネル及び右チャネルがそれぞれ半周期をなしている。またビットクロックＢＣＫは、その周波数をてい倍（例えば384倍）すればサンプリング周波数ｆｓである44.1〔ｋＨｚ〕を得ることができるように、予め周波数の値（この場合、16.9344〔ｋＨｚ〕）が設定されている。
【００３９】
またワードクロックＷＤＣＫ１（図２（Ｃ））又はＷＤＣＫ２（図２（Ｅ））は、リニア量子化ビット数（16ビット又は24ビット）に応じてクロック周期が設定されるようになされている。すなわち信号処理回路１３は、供給される復調データＳ１１をシリアルパラレル変換し、得られた各ビットを順次ラッチしながら、リニア量子化ビット数分の各ビットを２´Ｓコンプリメント（２の補数）形式でＭＳＢ（the Most Significant Bit）からＬＳＢ（the Least Significant Bit）まで順番に連なるようにパラレルシリアル変換した後、ディジタル音声データＤ１として出力する。
【００４０】
このワードクロックＷＤＣＫ１（図２（Ｃ））又はＷＤＣＫ２（図２（Ｅ））は、復調データＳ１１を各ビットごとにラッチする開始タイミングとなるビットクロックＢＣＫの立下り時点ｔ１（図２（Ｃ））又は時点ｔ２（図２（Ｅ））で立ち上がった後、続くチャネルクロックＬＲＣＫの立上り時点ｔ３（図２（Ｃ）、（Ｅ））又は立下り時点で立ち下がる。
【００４１】
かかる復調データＳ１１をラッチする開始タイミングは、チャネルクロックＬＲＣＫ（図２（Ｂ））の立上り時点ｔ３又は立下り時点を基準として、当該復調データＳ１１の量子化ビット数（16ビット又は24ビット）分だけ時間的に遡った時点に対応するビットクロックＢＣＫ（図２（Ａ））の立下り時点ｔ２、ｔ３として設定するようになされている。
【００４２】
そしてＰＣＭ信号でなる復調データＳ１１は、上述したラッチの開始タイミングとなるワードクロックＷＤＣＫ１（図２（Ｃ））又はＷＤＣＫ２（図２（Ｅ））の立上り時点ｔ１（図２（Ｃ））又は時点ｔ２（図２（Ｅ））を基準として、ビットクロックＢＣＫの立上りタイミングに同期しながらビット単位でＭＳＢを先頭とする順にワードクロックＷＤＣＫの立下り時点ｔ３（図２（Ｃ）、（Ｅ））までリニア量子化ビット数（16ビット又は24ビット）ごとに、ディジタル音声データＤ１として出力される（図２（Ｄ）又は（Ｆ））。
【００４３】
このように信号処理回路１３は、供給される復調データＳ１１を、１サンプリング周期をなす左右（Ｌ／Ｒ）２チャネル分が交互となるように、各チャネルについてそれぞれＭＳＢを先頭とするビット順でリニア量子化ビット数ごとに配置するようにして、上述したディジタル音声データＤ１（図２（Ｄ）又は（Ｆ））を生成した後、ディジタルオーディオインターフェース４にシリアル出力する。
【００４４】
本実施の形態の場合、信号処理回路１３は、リニア量子化ビット数が16ビットであるディジタル音声データＤ１について、各ビットを順次ラッチしながら２´Ｓコンプリメント形式でＭＳＢからＬＳＢまで順番に配置した後、当該ＬＳＢに続いて８ビット分の再生音量データＤ２をビット単位でシリアルにつなげるようにして24ビットのディジタル伝送データＤ３（図２（Ｇ））を生成する。
【００４５】
その際、信号処理回路１３は、データ伝送における再生音量データＤ２の符号列に発生した誤りの訂正を行う誤り制御方式としてキャラクタチェック方式のうちのパリティチェック方式を採用しており、当該再生音量データＤ２を形成する８ビットのうち少なくとも１ビット以上がいわゆるパリティビットとするようになされている。
【００４６】
かかるパリティチェック方式は、伝送する符号中の１のビットの数が偶数又は奇数となるように情報ビット列に１ビットの冗長ビット（パリティビット）を付加したパリティ符号により、ビット誤りを検出する方式である。伝送先となるアンプ内蔵型スピーカ３（図１）では、左右（Ｌ／Ｒ）チャネルごとにディジタル伝送データＤ３のうちの再生音量データＤ２に含まれる１のビットの数が偶数か奇数かをチェックすれば、当該再生音量データＤ２に誤りが発生しているか否かを検出することができる。
【００４７】
このアンプ内蔵型スピーカ３では、光ディスク再生装置２から光ファイバ７を介して送信されるディジタル伝送データＤ３を、ディジタルオーディオインターフェース５を介して信号処理回路３０に受信すると、当該信号処理回路３０は、ＣＰＵ３１の制御の下で、ディジタルオーディオインターフェース５を介して受信したディジタル伝送データＤ３からディジタル音声データＤ１と再生音量データＤ２とを分離する。
【００４８】
続いて信号処理回路３０は、連続して順次供給されるディジタル伝送データＤ１について、上述したパリティチェック方式によるパリティ検査を実行することにより、当該各ディジタル伝送データＤ３から分離した再生音量データＤ２について誤り検出を行うことができる。
【００４９】
その際、再生音量データＤ２に含まれるパリティビットが複数に亘って一致することは現実的にはありえないことから、誤りが発生した再生音量データＤ２は破棄されることとなり、ユーザが意図しない音量に設定されるのを未然に防止することができる。
【００５０】
信号処理回路３０は、誤りのない再生音量データＤ２を抽出すると、ディジタル音声データＤ１をアナログ変換してなるアナログ音声信号Ｓ１３の信号レベルを当該再生音量データに基づく設定音量に合わせるように、アンプ３２の増幅率を制御する。この結果、アンプ内蔵型スピーカ３では、ディジタル音声データＤ１に基づく音声の再生音量を、光ディスク再生装置２においてユーザが調整した再生音量でリアルタイムに同期させることができる。
【００５１】
因みにアンプ内蔵型スピーカ３においては、再生音量データＤ２が付加されていないディジタル音声データＤ１を受信した場合には、ユーザが操作部３５を用いて調整した再生音量がそのまま反映される。すなわちＣＰＵ３１が、操作部３５から得られた再生音量レベルを表す音量レベル信号Ｓ２１をバス３４を介して信号処理回路３０に送出すると、当該信号処理回路３０は、受け取った音量レベル信号Ｓ２１に基づいて、ディジタル音声データＤ１の信号レベルをユーザの調整内容に合わせるようにアンプ３２の増幅率を制御する。
【００５２】
（２）本実施の形態による動作及び効果
以上の構成において、このディジタルオーディオシステムでは、光ディスク再生装置２においてユーザが操作部１４を用いて所望の再生音量に調整すると、光ディスク６から再生したディジタル音声データＤ１に当該再生音量を表す再生音量データＤ２を付加したディジタル伝送データＤ３を所定のディジタル伝送フォーマットで光ファイバ７を介してアンプ内蔵型スピーカ３に送信する。
【００５３】
このアンプ内蔵型スピーカ３は、受信したディジタル伝送データＤ３からディジタル音声データＤ１及び再生音量データＤ２を分離した後、ディジタル音声データＤ１をアナログ変換してなるアナログ音声信号Ｓ１３の信号レベルを当該再生音量データＤ２に基づく設定音量に合わせることにより、当該アナログ音声信号Ｓ１３に基づく音声の再生音量を、光ディスク再生装置２においてユーザが調整した再生音量でリアルタイムに同期させることができる。
【００５４】
その際、光ディスク再生装置２において、８ビットの再生音量データを16ビットのディジタル音声データのＬＳＢ側にシリアルに続けて付加するようにして、ディジタル伝送フォーマットに対応した24ビットのディジタル伝送データを構成するようにしたことにより、あたかも最初からリニア量子化ビット数が24ビットのディジタル音声データを生成する場合と同様のディジタル伝送フォーマットで送信することができる。
【００５５】
この結果、受信側が送信側と同一のディジタル伝送フォーマットに対応できれば、当該受信側の機器に特別な受信回路等を設けることがないことから、通常のディジタルオーディオインターフェースを有する再生装置に広く適用することができるといった汎用性を有する利点がある。
【００５６】
一方、受信側のアンプ内蔵型スピーカ３において、受け取ったディジタル伝送データＤ３のうち再生音量データＤ２がディジタル音声データＤ１のＬＳＢ側につなげて付加されていることから、かかるディジタル音声データＤ１には微小なＤＣ（Direct Current）オフセットが発生するだけで何らディジタル音声データＤ１に基づく音声を再生する場合に当該音声にノイズ等が生じるといった不具合を防止することができる。
【００５７】
以上の構成によれば、このディジタルオーディオシステム１において、光ディスク再生装置２では、光ディスク６から再生したディジタル音声データＤ１のＬＳＢ側に、ユーザが調整した再生音量を表す再生音量データＤ２をビット単位でシリアルに付加するようにしてディジタル伝送データＤ３を生成し、当該再生音量データＤ２のビット数分を含めたリニア量子化ビット数でディジタル音声データを生成する場合と同様のディジタル伝送フォーマットで送信すると共に、受信側のアンプ内蔵型スピーカ３では、ディジタル伝送データＤ３からディジタル音声データＤ１及び再生音量データＤ２を分離して当該再生音量データＤ２に基づく再生音量でディジタル音声データＤ１に基づく音声を再生するようにしたことにより、アンプ内蔵型スピーカ３からの再生音量を光ディスク再生装置２でユーザの調整した再生音量にリアルタイムに同期させて合わせることができ、かくして簡易な構成で送信側の設定内容を受信側においてリアルタイムで反映させることができるディジタルオーディオシステム１を実現し得る。
【００５８】
（３）他の実施の形態
なお上述のように本実施の形態においては、本発明によるディジタル音声伝送システムを、図１に示すような、光ディスク（記録媒体）６から再生したディジタル音声データ（音声データ）Ｄ１を所定（例えばＳＰＤＩＦ）のディジタル伝送フォーマットで出力する光ディスク再生装置（再生装置、ディジタル音声伝送装置）２と、当該光ディスク再生装置（再生装置、ディジタル音声伝送装置）２から受信したディジタル音声データ（音声データ）Ｄ１に基づく音声を出力するアンプ内蔵型スピーカ（音声出力装置）３とからなるディジタルオーディオシステム１に適用するようにした場合について述べたが、本発明はこれに限らず、所定のディジタル伝送フォーマットで音声データの伝送が可能なシステムであれば、この他種々の構成でなるディジタル音声伝送システムに広く適用することができる。
【００５９】
かかるディジタル伝送フォーマットとして、ＳＰＤＩＦ（Sony/Philips Digital Interface Format）（商標名）等のディジタルオーディオインターフェースに準拠するものを適用したが、本発明はこれに限らず、ＡＥＳ／ＥＢＵ（Audio Engineering Society/European Broadcasting Union）等のインターフェースに準拠するものなどの種々のディジタルオーディオインターフェースのものに広く適用するようにしても良い。
【００６０】
また図１に示すディジタルオーディオシステム（ディジタル音声伝送システム）１では、光ディスク再生装置（再生装置、ディジタル音声伝送装置）２及びアンプ内蔵型スピーカ（音声出力装置）３間を光ファイバ７を介して相互接続するようにしたが、本発明はこれに限らず、要はディジタル音声データ（音声データ）Ｄ１をアナログ変換することなくディジタル伝送することができれば、光ファイバ以外にも同軸ケーブル等の有線通信でも良く、さらにはワイヤレス通信（無線通信）でも良い。本発明は既存のデータ伝送フォーマットをそのまま利用して再生音量データを送信できる点で、無線通信の場合に特に効果が大きいと言える。
【００６１】
例えばマルチチャンネルのサラウンドシステム（図示せず）において、ユーザを取り囲むように配置された複数チャンネルに対応するスピーカのうち、フロントスピーカについては音源となる本体部から直接再生音量の操作が可能であり、リアスピーカについては本体部から所定のディジタル伝送フォーマットで音声データをワイヤレス伝送する場合にも適用できる。この場合、リアスピーカの再生音量を、本体部側でユーザがフロントスピーカに対して調整した再生音量にリアルタイムで同期して合わせることができるという利点がある。
【００６２】
またワイヤレスヘッドホンシステム（図示せず）において、音源となる本体部から所定のディジタル伝送フォーマットで音声データをワイヤレスヘッドホンにワイヤレス伝送する場合にも適用できる。この場合、ワイヤレスヘッドホンの再生音量を、本体部側でユーザが調整した再生音量にリアルタイムで同期した合わせることができるという利点がある。なお、モード切換えによってユーザがワイヤレスヘッドホンの再生音量の調整を、本体部側又は当該ワイヤレスヘッドホン側のいずれかで行い得るようにしても良い。
【００６３】
また上述のように本実施の形態においては、光ディスク再生装置（再生装置）２におけるディジタル音声データ（音声データ）Ｄ１に基づく音声に対する所定の設定内容を再生音量の調整内容とし、当該設定内容を設定する設定手段として操作部１４を適用するようにした場合について述べたが、本発明はこれに限らず、再生音量（いわゆるボリューム）以外にも、例えば左右（Ｌ／Ｒ）２チャネルのスピーカ出力のバランスの調整内容でも良く、また高音又は低音の調整内容や、トーン調整内容さらには音質調整内容など種々の設定内容に広く適用することができる。その際、対応する設定内容を設定する設定手段としては操作部１４以外にも種々の構成のものを適用しても良い。
【００６４】
さらに上述のように本実施の形態においては、再生音量（設定内容）に基づく再生音量データ（設定データ）Ｄ２をディジタル伝送フォーマットでディジタル音声データ（音声データ）Ｄ１に組み込むようにしてディジタル伝送データ（伝送データ）Ｄ３を生成するデータ生成手段として、信号処理回路１３を適用するようにした場合について述べたが、本発明はこれに限らず、データ生成手段としてはこの他種々の構成のものに広く適用することができる。
【００６５】
さらに上述のように本実施の形態においては、信号処理回路（データ生成手段）１３において生成されたディジタル伝送データ（伝送データ）Ｄ３を送信する送信手段として、ディジタルオーディオインターフェース４をシステムコントローラ８の制御下で適用するようにした場合について述べたが、本発明はこれに限らず、この他種々の構成の送信手段に広く適用することができる。
【００６６】
さらに上述のように本実施の形態においては、アンプ内蔵型スピーカ（音声出力装置）３では、送信側のディジタルオーディオインターフェース（送信手段）４から送信されるディジタル伝送データ（伝送データ）Ｄ３を受信するディジタルオーディオインターフェース（受信手段）５と、ディジタルオーディオインターフェース（受信手段）５で受信したディジタル伝送データ（伝送データ）Ｄ３からディジタル音声データ（音声データ）Ｄ１及び再生音量データ（設定データ）Ｄ２を分離する信号処理回路（分離手段）３０と、信号処理回路（分離手段）３０において分離した再生音量データ（設定データ）Ｄ２に基づく再生音量（設定内容）をディジタル音声データ（音声データ）Ｄ１に基づく音声に反映させるＣＰＵ３１及びアンプ３２（内容反映手段）とを設けるようにした場合について述べたが、本発明はこれに限らず、要は、受信側が送信側と同一のディジタル伝送フォーマットに対応できれば、音声出力装置としては、この他種々の構成のものを適用するようにしても良い。この場合、受信側の機器に特別な受信回路等を設けることがない分だけ、汎用性を増すことができる。
【００６７】
さらに上述のように本実施の形態においては、光ディスク再生装置（再生装置）２では、信号処理回路（データ生成手段）１３は、ディジタル音声データ（音声データ）Ｄ１の信号レベルの大きい順（ＭＳＢ側）にディジタル伝送フォーマットに基づくビット列を配列した後、当該ビット列の最後に位置する音声データの信号レベルが最小のビット（ＬＳＢ）に続いて再生音量データ（設定データ）Ｄ２のビット列を付加するようにした場合について述べたが、本発明はこれに限らず、ディジタル音声データＤ１に基づく音声にノイズ等が発生するのを未然に防止することができれば、ディジタル音声データ（音声データ）Ｄ１に対する再生音量データ（設定データ）Ｄ２の組み込ませる手法としては種々の方法を適用するようにしても良い。
【００６８】
さらに上述のように本実施の形態においては、アンプ内蔵型スピーカ（音声出力装置）３では、再生音量データ（設定データ）Ｄ２の一部をパリティビット（誤り訂正用のビット）とするようにしてパリティチェック方式を用いて誤り検出及び誤り訂正を行うようにして場合について述べたが、本発明はこれに限らず、種々の誤り制御方式に広く適用することができる。すなわちパリティチェック方式のような１文字ごとに検知するキャラクタチェック方式の場合には、定マーク符号チェック方式（伝送する各符号中の１の数が常に一定になるように冗長ビットを付加する方式）やハミング符号チェック方式（各情報ビットに数ビットの冗長ビットを付加し、一定の法則によりチェックを行って符号中に生じた１ビットの誤りを検出し、自己訂正を行う方式）などを適用しても良い。
【００６９】
さらにはこれら以外にもデータを適用な長さに区切ったブロック（ビット群）ごとに検知するブロックチェック方式を適用しても良い。かかるブロックチェック方式には、水平垂直パリティチェック方式（伝送する符号のブロックごとに、ブロック内の符号を垂直に並べ、各ビットの水平方向にそれぞれパリティビットを付加する方式）や、群計数チェック方式（伝送する符号のブロックごとに、ブロック内の符号を垂直に並べ、各ビットの水平方向の１の数を２進数で加算し、その結果を伝送ブロックの後に送信する方式）、巡回冗長検査（ＣＲＣ：Cyclic Redundancy Check）方式（データのブロック単位を高次の多項式とみなし、これを予め定めた生成多項式で割ったときの余りを検査用ビット（ＣＲＣ符号）として、データブロックの末尾に付加して送信する一方、受信側で当該データを同じ生成多項式で割り算を行い、割り切れなければ誤りとする方式）などに適用しても良い。
【産業上の利用可能性】
【００７０】
ディジタル音声伝送システム並びにディジタル音声伝送装置及びその方法において、車載用のオーディオシステムや家庭用のステレオシステム等に適用することができる。
【図面の簡単な説明】
【００７１】
【図１】本発明によるディジタルオーディオシステムの構成を示すブロック図である。
【図２】ディジタル音声データ及びディジタル伝送データの出力タイミングの説明に供するタイミングチャートである。
【符号の説明】
【００７２】
１……ディジタルオーディオシステム、２……光ディスク再生装置、３……アンプ内蔵型スピーカ、４、５……ディジタルオーディオインターフェース、６……光ディスク、７……光ファイバ、８……システムコントローラ、９……光ピックアップ、１１……サーボプロセッサ、１２……復調回路、１３、３０……信号処理回路、１４、３５……操作部、３１……ＣＰＵ、Ｄ１……ディジタル音声データ、Ｄ２……再生音量データ、Ｄ３……ディジタル伝送データ。
【図１】
2005151473.tif 000003
【図２】
2005151473.tif 000004